(57)【要約】【課題】ＡＣＫ／ＮＡＣＫ（肯定応答／否定応答）バンドリングを改善する方法及び通信装置を提供する。【解決手段】方法は、アップリンクサブフレームに割り当てられたアップリンクグラントを受信し、アップリンクサブフレームが複数のダウンリンクサブフレームに対応するフィードバック信号を伝送するために用いられ、ＵＥ（ユーザー端末）のＴＤＤ  ＵＬ／ＤＬ（時分割複信アップリンク／ダウンリンク）構成値が０とされる段階と、ダウンリンクアサインメントを運ぶ最近のＰＤＣＣＨ（物理ダウンリンク制御チャネル）シグナリングにより指示されたＤＡＩ（ダウンリンクアサインメントインデックス）に基づいて、ＵＥがダウンリンクアサインメントを受け損なったかどうかを判断する段階とを含む。【選択図】図４
2010158000.tif 000002
【特許請求の範囲】
【請求項１】
無線通信システムのＵＥ（ユーザー端末）に用いられるＡＣＫ／ＮＡＣＫ（肯定応答／否定応答）バンドリングを改善する方法であって、
複数のダウンリンクサブフレームに対応するフィードバック信号を伝送するために用いられるアップリンクサブフレームに割り当てられたアップリンクグラントを受信し、前記ＵＥのＴＤＤ  ＵＬ／ＤＬ（時分割複信アップリンク／ダウンリンク）構成値が０とされる段階と、
ダウンリンクアサインメントを運ぶ最近のＰＤＣＣＨ（物理ダウンリンク制御チャネル）シグナリングにより指示されたＤＡＩ（ダウンリンクアサインメントインデックス）に基づいて、前記ＵＥがダウンリンクアサインメントを受け損なったかどうかを判断する段階とを含む、ＡＣＫ／ＮＡＣＫバンドリングを改善する方法。
【請求項２】
前記方法は更に、
前記複数のダウンリンクサブフレームにおいてＰＤＳＣＨ（物理ダウンリンク共用チャネル）伝送が実行されない場合に、前記アップリンクサブフレームにおいて前記フィードバック信号を伝送しない段階を含む、請求項１に記載のＡＣＫ／ＮＡＣＫバンドリングを改善する方法。
【請求項３】
前記アップリンクグラントはＤＣＩ（ダウンリンク制御情報）フォーマットが０のＰＤＣＣＨシグナリングで運ばれる、請求項１または２に記載のＡＣＫ／ＮＡＣＫバンドリングを改善する方法。
【請求項４】
無線通信システムのＵＥに用いられるＡＣＫ／ＮＡＣＫバンドリングを改善するための通信装置であって、
プログラムを実行するＣＰＵ（中央処理装置）と、
前記ＣＰＵに結合され、前記プログラムを記憶する記憶装置とを含み、前記プログラムは、
複数のダウンリンクサブフレームに対応するフィードバック信号を伝送するために用いられるアップリンクサブフレームに割り当てられたアップリンクグラントを受信し、前記ＵＥのＴＤＤ  ＵＬ／ＤＬ構成値が０とされる段階と、
ダウンリンクアサインメントを運ぶ最近のＰＤＣＣＨシグナリングにより指示されたＤＡＩに基づいて、前記ＵＥがダウンリンクアサインメントを受け損なったかどうかを判断する段階とを含む、通信装置。
【請求項５】
前記プログラムは更に、
前記複数のダウンリンクサブフレームにおいてＰＤＳＣＨ（物理ダウンリンク共用チャネル）伝送が実行されない場合に、前記アップリンクサブフレームにおいて前記フィードバック信号を伝送しない段階を含む、請求項４に記載の通信装置。
【請求項６】
前記アップリンクグラントはＤＣＩフォーマットが０のＰＤＣＣＨシグナリングで運ばれる、請求項４または５に記載の通信装置。
【請求項７】
無線通信システムのＵＥに用いられるＡＣＫ／ＮＡＣＫバンドリングを改善する方法であって、
複数のダウンリンクサブフレームに対応するフィードバック信号を伝送するために用いられるアップリンクサブフレームに割り当てられたアップリンクグラントを受信し、前記ＵＥのＴＤＤ  ＵＬ／ＤＬ構成値が０とされる段階と、
前記ＵＥが前記複数のダウンリンクサブフレームの中から検出したＰＤＳＣＨ伝送の数量に基づいて、前記複数のダウンリンクサブフレームにおいて前記フィードバック信号が形成されたダウンリンクサブフレームの数量を判断する段階とを含む、ＡＣＫ／ＮＡＣＫバンドリングを改善する方法。
【請求項８】
前記ＵＥは変数Ｕ＿ＤＡＩと変数Ｎ＿ＳＰＳを保持し、変数Ｕ＿ＤＡＩは前記複数のダウンリンクサブフレームにおいて対応するＰＤＣＣＨシグナリングを有するＰＤＳＣＨ伝送の数量を示し、変数Ｎ＿ＳＰＳは前記複数のダウンリンクサブフレームにおいて対応するＰＤＣＣＨシグナリングを有しないＰＤＳＣＨ伝送の数量を示す、請求項７に記載のＡＣＫ／ＮＡＣＫバンドリングを改善する方法。
【請求項９】
前記複数のダウンリンクサブフレームにおいて前記フィードバック信号が形成されたダウンリンクサブフレームの数量を判断する段階は、
前記複数のダウンリンクサブフレームにおいて前記フィードバック信号が形成されたダウンリンクサブフレームの数量を、前記変数Ｕ＿ＤＡＩと前記変数Ｎ＿ＳＰＳの和とする段階を含む、請求項８に記載のＡＣＫ／ＮＡＣＫバンドリングを改善する方法。
【請求項１０】
無線通信システムのＵＥに用いられるＡＣＫ／ＮＡＣＫバンドリングを改善するための通信装置であって、
プログラムを実行するＣＰＵと、
前記ＣＰＵに結合され、前記プログラムを記憶する記憶装置とを含み、前記プログラムは、
複数のダウンリンクサブフレームに対応するフィードバック信号を伝送するために用いられるアップリンクサブフレームに割り当てられたアップリンクグラントを受信し、前記ＵＥのＴＤＤ  ＵＬ／ＤＬ構成値が０とされる段階と、
前記ＵＥが前記複数のダウンリンクサブフレームの中から検出したＰＤＳＣＨ伝送の数量に基づいて、前記複数のダウンリンクサブフレームにおいて前記フィードバック信号が形成されたダウンリンクサブフレームの数量を判断する段階とを含む、通信装置。
【請求項１１】
前記ＵＥは変数Ｕ＿ＤＡＩと変数Ｎ＿ＳＰＳを保持し、変数Ｕ＿ＤＡＩは前記複数のダウンリンクサブフレームにおいて対応するＰＤＣＣＨシグナリングを有するＰＤＳＣＨ伝送の数量を示し、変数Ｎ＿ＳＰＳは前記複数のダウンリンクサブフレームにおいて対応するＰＤＣＣＨシグナリングを有しないＰＤＳＣＨ伝送の数量を示す、請求項１０に記載の通信装置。
【請求項１２】
前記複数のダウンリンクサブフレームにおいて前記フィードバック信号が形成されたダウンリンクサブフレームの数量を判断する段階は、
前記複数のダウンリンクサブフレームにおいて前記フィードバック信号が形成されたダウンリンクサブフレームの数量を、前記変数Ｕ＿ＤＡＩと前記変数Ｎ＿ＳＰＳの和とする段階を含む、請求項１１に記載の通信装置。
【請求項１３】
無線通信システムのＵＥに用いられるＡＣＫ／ＮＡＣＫバンドリングを改善する方法であって、
複数のダウンリンクサブフレームに対応するフィードバック信号を伝送するために用いられるアップリンクサブフレームに割り当てられたアップリンクグラントを受信する段階と、
前記アップリンクグラントを運ぶＰＤＣＣＨシグナリングにＤＡＩが含まれるかどうかを判断する段階と、
前記ＤＡＩに基づいて、前記ＵＥがダウンリンクアサインメントを受け損なったかどうか、及び前記複数のダウンリンクサブフレームにおいて前記フィードバック信号が形成されたダウンリンクサブフレームの数量を判断する段階とを含む、ＡＣＫ／ＮＡＣＫバンドリングを改善する方法。
【請求項１４】
前記アップリンクグラントを運ぶＰＤＣＣＨシグナリングにＤＡＩが含まれるかどうかを判断する段階は、
前記ＵＥのＴＤＤ  ＵＬ／ＤＬ構成値が１〜６とされた場合に、前記ＰＤＣＣＨシグナリングに前記ＤＡＩが含まれると判断する段階を含む、請求項１３に記載のＡＣＫ／ＮＡＣＫバンドリングを改善する方法。
【請求項１５】
無線通信システムのＵＥに用いられるＡＣＫ／ＮＡＣＫバンドリングを改善するための通信装置であって、
プログラムを実行するＣＰＵと、
前記ＣＰＵに結合され、前記プログラムを記憶する記憶装置とを含み、前記プログラムは、
複数のダウンリンクサブフレームに対応するフィードバック信号を伝送するために用いられるアップリンクサブフレームに割り当てられたアップリンクグラントを受信する段階と、
前記アップリンクグラントを運ぶＰＤＣＣＨシグナリングにＤＡＩが含まれるかどうかを判断する段階と、
前記ＤＡＩに基づいて、前記ＵＥがダウンリンクアサインメントを受け損なったかどうか、及び前記複数のダウンリンクサブフレームにおいて前記フィードバック信号が形成されたダウンリンクサブフレームの数量を判断する段階とを含む、ＡＣＫ／ＮＡＣＫバンドリングを改善する方法。
【請求項１６】
前記アップリンクグラントを運ぶＰＤＣＣＨシグナリングにＤＡＩが含まれるかどうかを判断する段階は、
前記ＵＥのＴＤＤ  ＵＬ／ＤＬ構成値が１〜６とされた場合に、前記ＰＤＣＣＨシグナリングに前記ＤＡＩが含まれると判断する段階を含む、請求項１５に記載の方法。
【発明の詳細な説明】
【技術分野】
【０００１】
本発明はＡＣＫ／ＮＡＣＫ（肯定応答／否定応答）バンドリングを改善する方法及び通信装置に関し、特にＵＥでダウンリンクグラント（ｕｐｌｉｎｋ  ｇｒａｎｔ）を受け損なうかどうかを正確に判断してＡＣＫ／ＮＡＣＫ信号を返送することを可能にする、無線通信システムのＵＥ（ユーザー端末）においてＡＣＫ／ＮＡＣＫバンドリングを改善する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に個別に設ける必要がなく、同一の通信ネットワークエンティティーに統合できるので、システム構造が比較的に簡単である。
【０００３】
ＬＴＥシステムはＦＤＤ（周波数複信）とＴＤＤ（時分割複信）という２種類の複信方式をサポートし、両者のフレーム構造は互いに異なるようにされている。ＦＤＤモードでは、長さ１０ｍｓの無線フレームは１０個のサブフレームに分けられ、サブフレームごとに２つのスロットが含まれ、各スロットの長さは０．５ｍｓである。ＴＤＤモードでは、長さ１０ｍｓの無線フレームごとに長さ５ｍｓのハーフフレームが２つ含まれ、各ハーフフレームは、長さ１ｍｓの一般サブフレーム４つと、１つの特別サブフレームからなる。特別サブフレームは、ＤｗＰＴＳ（ダウンリンクパイロットタイムスロット）、ＧＰ（ガードピリオド）、及びＵｐＰＴＳ（アップリンクパイロットタイムスロット）という３つの特別スロットからなる。そのうちＤｗＰＴＳはダウンリンク制御信号の送信に用いられ、ＵｐＰＴＳはアップリンク制御信号の送信に用いられ、ＧＰはダウンリンクからアップリンクへの変換に用いる保護時間間隔である。この３つの特別スロットは全長１ｍｓに固定されるが、各々の長さはネットワークの実際要求に応じて設定することができる。
【０００４】
ＦＤＤモードに比べて、ＬＴＥシステムのＴＤＤモードは種々のアップリンク／ダウンリンク時間割当をサポートする。言い換えれば、非対称のアップリンク／ダウンリンク伝送要求を満足させるために、アップリンク／ダウンリンク時間比を１：１に限らず、サービスの種類に応じてアップリンク／ダウンリンクサブフレームの割当比率を調整することができる。例えば、現在の仕様によれば、ＴＤＤモードには６種類のアップリンク／ダウンリンクサブフレーム構成割合が定められており、これらはそれぞれ、上位層が指示した６つのＴＤＤアップリンク／ダウンリンク構成値（ＴＤＤ  ＵＬ／ＤＬ  ｃｏｎｆｉｇｕｒａｔｉｏｎ）０〜６により制御される。ＴＤＤ  ＵＬ／ＤＬ構成値の定義と対応するアップリンク／ダウンリンク時間割合については関連の技術仕様を参照すればよく、ここで説明を省略する。
【０００５】
アップリンク伝送とダウンリンク伝送に用いるサブフレームの数量は、ＴＤＤ  ＵＬ／ＤＬ構成値によって異なる。ダウンリンクサブフレームの数量がアップリンクサブフレームの数量より大きい場合、複数のダウンリンク伝送フィードバック信号を、対応するアップリンクサブフレームにおいて実行するしかない。言い換えれば、ＨＡＲＱ（ハイブリッド自動リピート請求）をサポートするために、ＵＥは対応するアップリンクサブフレームにおいて、受信したダウンリンクパケットに対応する複数のＡＣＫ／ＮＡＣＫ信号を送信しなければならない。この場合、アップリンクサブフレームにおいて送信すべきビット数を減らすために、従来の技術ではＡＣＫ／ＮＡＣＫバンドリング技術を導入している。同技術はＡＣＫまたはＮＡＣＫ信号１つのみで複数のダウンリンクパケットのＨＡＲＱフィードバックを実行し、アップリンク／ダウンリンクの非対称性による問題を解決する。注意すべきは、以下はＡＣＫまたはＮＡＣＫ信号を伝送するアップリンクサブフレームを共通サブフレーム（ｃｏｍｍｏｎ  ｓｕｂｆｒａｍｅ）と称し、この共通サブフレームに対応する１組のダウンリンクサブフレームをバンドルサブフレーム（ｂｕｎｄｌｅｄ  ｓｕｂｆｒａｍｅ）と称する。
【０００６】
ＡＣＫ／ＮＡＣＫバンドリング技術では一般に、バンドルサブフレームにおいて受信したパケットのＡＣＫまたはＮＡＣＫ信号に対してＡＮＤ論理演算を実行し、共通アップリンクサブフレームにおいて伝送するフィードバック信号を生成する。例えば、バンドルサブフレームにおいて受信したパケットのフィードバック信号がすべてＡＣＫ信号であれば、ＵＥは共通アップリンクサブフレームにおいてＡＣＫ信号を送信し、受信したすべてのパケットを確認する。それに反して、バンドルサブフレームにおいてダウンリンクパケットのフィードバック信号がＮＡＣＫ信号であれば、ＵＥは共通アップリンクサブフレームにおいてＮＡＣＫ信号を生成し、すべてのパケットを再送するように求める。
【０００７】
また、ダイナミックスケジューリングされたアップリンクグラントまたはダウンリンクアサインメントの有無を検出し、それにより対応するアップリンクサブフレームにおいてＰＵＳＣＨ（物理アップリンク共用チャネル）伝送を実行するか、または対応するダウンリンクサブフレームにおいてＰＤＳＣＨ（物理ダウンリンク共用チャネル）伝送を実行するために、ＵＥは各アップリンクサブフレームまたはダウンリンクサブフレームに対してＰＤＣＣＨ（物理ダウンリンク制御チャネル）をモニタリングしなければならない。ネットワークから割り当てられたダウンリンクアサインメントを受け損なえば、ＵＥは対応するダウンリンクサブフレームにおいて受信すべきダウンリンクパケットがあることを知らないので、対応するフィードバック信号を生成しない。この場合、共通サブフレームにおいて伝送されるフィードバック信号は、受信したパケットのフィードバック信号のみにより生成されるので、ネットワークではＵＥがダウンリンクアサインメントの受信欠落によりパケットの受信に失敗したことを知ることができない。そうなると、ネットワークはパケットの再送を行わず、物理層にとってパケットが紛失する。
【０００８】
ダウンリンクアサインメントの受信欠落によるパケットの紛失を避けるために、従来の技術ではＰＤＣＣＨシグナリングの中に、受信すべきダウンリンクアサインメントの数量をＵＥに指示し、ＵＥでＡＣＫ／ＮＡＣＫ信号を正確に返送することを可能にする長さ２ビットのＤＡＩ（ダウンリンクアサインメントインデックス）フィールドを追加している。
【０００９】
ＤＡＩフィールドの意味はＰＤＣＣＨシグナリングのフォーマットによって異なる。ＤＣＩ（ダウンリンク制御情報）フォーマットが０のＰＤＣＣＨシグナリング（例えば共通サブフレームに割り当てるアップリンクグラントを運ぶＰＤＣＣＨシグナリング）では、ＤＡＩフィールドはバンドルサブフレームにおけるＰＤＳＣＨ伝送のすべてのダウンリンクサブフレームの数量を示し、これはＵＥにおいて変数Ｖ＿ＵＬ＿ＤＡＬとされる。言い換えれば、変数Ｖ＿ＵＬ＿ＤＡＩの値は、ダイナミックスケジューリングされたＰＤＳＣＨ伝送（すなわち対応するＰＤＣＣＨシグナリングを有するＰＤＳＣＨ伝送）と、事前定義されたＰＤＳＣＨ伝送（すなわち対応するＰＤＣＣＨシグナリングを有しないＰＤＳＣＨ伝送、例えばＳＰＳ（セミパーシステントスケジューリング）伝送）とを含む。
【００１０】
ＤＣＩフォーマットが１、１Ａ、１Ｂ、１Ｄ、２、及び２ＡのＰＤＣＣＨシグナリング（例えば共通サブフレームに割り当てるダウンリンクアサインメントを運ぶＰＤＣＣＨシグナリング）では、ＤＡＩフィールドはバンドルサブフレームにおいて、現在のダウンリンクサブフレームまで累積した対応するＰＤＣＣＨシグナリングを有するＰＤＳＣＨ伝送の数量を示し、これはＵＥにおいて変数Ｖ＿ＤＬ＿ＤＡＬとされる。
【００１１】
なお、ＵＥは変数Ｕ＿ＤＡＩと変数Ｎ＿ＳＰＳも保持する。変数Ｕ＿ＤＡＩは、バンドルサブフレームにおいて現在のダウンリンクサブフレームまでダイナミックスケジューリングされたＰＤＳＣＨ伝送の数量を記録する。変数Ｎ＿ＳＰＳは、バンドルサブフレームにおいて現在のダウンリンクサブフレームまで事前定義されたＰＤＳＣＨ伝送の数量を記録する。
【００１２】
そうすると、ＰＤＣＣＨシグナリングを検出するたびに、ＵＥはそのＤＡＩをＵＥ自身が保持している変数Ｕ＿ＤＡＩ及び変数Ｎ＿ＳＰＳと比較することによって、ネットワークから割り当てられたダウンリンクアサインメントを受け損なったかどうかを判断することができる。また、共通サブフレームでアップリンク伝送を実行するとき、ＵＥもそれを利用し、バンドルサブフレームにおいてフィードバック信号が生成したダウンリンクサブフレームの数量（変数Ｎ＿ｂｕｎｄｌｅｄで示される）を判断することができる。
【００１３】
注意すべきは、ＰＤＣＣＨシグナリングで運ばれるＤＡＩフィールドは２ビットしかない。そのため、現在の仕様では、変数Ｖ＿ＵＬ＿ＤＡＩとＶ＿ＤＬ＿ＤＡＩは値１〜４で示される。しかし、バンドルサブフレームに含まれるダウンリンクサブフレームの数量は０〜９であるため、現行の仕様ではモジュラ演算を利用し、変数Ｖ＿ＵＬ＿ＤＡＩ及びＶ＿ＤＬ＿ＤＡＩとダウンリンクサブフレームの数量を関係させる。例えば、値１で１、５、または９個のダウンリンクサブフレームを示し、値２で２または６個のダウンリンクサブフレームを示し、値３で３または７個のダウンリンクサブフレームを示し、値４で０、４、また８個のダウンリンクサブフレームを示す。
【００１４】
現行の仕様によれば、共通サブフレームでアップリンク伝送を実行しない場合、ＵＥは共通サブフレームに割り当てられたアップリンクグラントを受信しないので、ダウンリンクアサインメントを運ぶＰＤＣＣＨシグナリングにより指示されたＤＡＩ（すなわち変数Ｖ＿ＤＬ＿ＤＡＩ）に基づいて、ダウンリンクアサインメントを受け損なったかどうかを判断するしかない。変数Ｖ＿ＤＬ＿ＤＡＩと変数Ｕ＿ＤＡＩが一致せず、すなわち
【数１】
2010158000.tif 000003
の場合では、ＵＥが少なくとも１つのダウンリンクアサインメントを受け損なったと判断する。
【００１５】
ＵＥが共通サブフレームでアップリンク伝送を実行し、このアップリンク伝送がＤＣＩフォーマットが０のＰＤＣＣＨシグナリングに基づいて調整される場合、すなわちＵＥがネットワークから共通サブフレームに割り当てられたアップリンクグラントを受信した場合では、ＵＥはアップリンクグラントを運ぶＰＤＣＣＨシグナリングにより指示されたＤＡＩ（すなわち変数Ｖ＿ＵＬ＿ＤＡＩ）に基づいて、ダウンリンクアサインメントを受け損なったかどうかを判断する。変数Ｖ＿ＵＬ＿ＤＡＩと変数Ｎ＿ＳＰＳが一致せず、すなわち
【数２】
2010158000.tif 000004
の場合では、少なくとも１つのダウンリンクアサインメントを受け損なったと判断し、ＵＥは共通サブフレームにおいてＮＡＣＫ信号を生成しなければならない。また、ＵＥはバンドルサブフレームにおいてフィードバック信号が生成されたダウンリンクサブフレームの数量（すなわち変数Ｎ＿ｂｕｎｄｌｅｄ）を変数Ｖ＿ＵＬ＿ＤＡＩの値に設定する。変数Ｕ＿ＤＡＩと変数Ｎ＿ＳＰＳの和が０であり、かつ変数Ｖ＿ＵＬ＿ＤＡＩの値が４であれば、バンドルサブフレームにＰＤＳＣＨ伝送がないので、ＵＥはＡＣＫ信号またはＮＡＣＫ信号を送信する必要がない。
【００１６】
ＵＥが共通サブフレームでアップリンク伝送を実行し、このアップリンク伝送がＤＣＩフォーマットが０のＰＤＣＣＨシグナリングに基づいて調整されなかった場合、換言するとＵＥが予め割り当てられたアップリンクグラントでＰＤＳＣＨ伝送を実行した場合では、ＵＥはダウンリンクアサインメントを運ぶＰＤＣＣＨシグナリングにより指示されたＤＡＩ（すなわち変数Ｖ＿ＤＬ＿ＤＡＩ）に基づいて、ダウンリンクアサインメントを受け損なったかどうかを判断するしかない。変数Ｖ＿ＤＬ＿ＤＡＩと変数Ｕ＿ＤＡＩが一致せず、すなわち
【数３】
2010158000.tif 000005
の場合では、ＵＥが少なくとも１つのダウンリンクアサインメントを受け損なったと判断する。また、ＵＥはバンドルサブフレームにおいてフィードバック信号が生成されたダウンリンクサブフレームの数量（すなわち変数Ｎ＿ｂｕｎｄｌｅｄ）を変数Ｕ＿ＤＡＩと変数Ｎ＿ＳＰＳの和に設定する。変数Ｕ＿ＤＡＩと変数Ｎ＿ＳＰＳの和が０であれば、バンドルサブフレームにＰＤＳＣＨ伝送がないので、ＵＥはＡＣＫ信号またはＮＡＣＫ信号を送信する必要がない。
【００１７】
しかし、現在の仕様によれば、ＴＤＤ  ＵＬ／ＤＬ構成値が０の場合、ＤＣＩフォーマットが０のＰＤＣＣＨシグナリング（すなわちアップリンクグラントを運ぶＰＤＣＣＨシグナリング）にはＤＡＩフィールドが存在しない。したがって、ＴＤＤ  ＵＬ／ＤＬ構成値が０の状態でＤＣＩフォーマットが０のＰＤＣＣＨシグナリングを受信すれば、ＵＥはダウンリンクアサインメントを受け損なったかどうかを判断できず、または共通サブフレームにおいてＡＣＫもしくはＮＡＣＫ信号を送信すべきかどうかを判断できない。のみならず、ＵＥはバンドルサブフレームにおいてフィードバック信号が生成されたダウンリンクサブフレームの数量（すなわち変数Ｎ＿ｂｕｎｄｌｅｄ）も正確に判断できない。
【発明の概要】
【発明が解決しようとする課題】
【００１８】
本発明はＡＣＫ／ＮＡＣＫバンドリングを改善する方法及び通信装置を提供する。
【課題を解決するための手段】
【００１９】
本発明では、無線通信システムのＵＥ（ユーザー端末）に用いられるＡＣＫ／ＮＡＣＫ（肯定応答／否定応答）バンドリングを改善する方法を開示する。同方法は、アップリンクサブフレームに割り当てられたアップリンクグラントを受信し、アップリンクサブフレームが複数のダウンリンクサブフレームに対応するフィードバック信号を伝送するために用いられ、ＵＥのＴＤＤ  ＵＬ／ＤＬ（時分割複信アップリンク／ダウンリンク）構成値が０とされる段階と、ダウンリンクアサインメントを運ぶ最近のＰＤＣＣＨ（物理ダウンリンク制御チャネル）シグナリングにより指示されたＤＡＩ（ダウンリンクアサインメントインデックス）に基づいて、ＵＥがダウンリンクアサインメントを受け損なったかどうかを判断する段階とを含む。
【００２０】
本発明では更に、無線通信システムのＵＥに用いられるＡＣＫ／ＮＡＣＫバンドリングを改善するための通信装置を開示する。通信装置は、プログラムを実行するＣＰＵ（中央処理装置）と、ＣＰＵに結合され、プログラムを記憶する記憶装置とを含む。プログラムは、アップリンクサブフレームに割り当てられたアップリンクグラントを受信し、アップリンクサブフレームが複数のダウンリンクサブフレームに対応するフィードバック信号を伝送するために用いられ、ＵＥのＴＤＤ  ＵＬ／ＤＬ構成値が０とされる段階と、ダウンリンクアサインメントを運ぶ最近のＰＤＣＣＨシグナリングにより指示されたＤＡＩに基づいて、ＵＥがダウンリンクアサインメントを受け損なったかどうかを判断する段階とを含む。
【００２１】
本発明では更に、無線通信システムのＵＥに用いられるＡＣＫ／ＮＡＣＫバンドリングを改善する方法を開示する。同方法は、アップリンクサブフレームに割り当てられたアップリンクグラントを受信し、アップリンクサブフレームが複数のダウンリンクサブフレームに対応するフィードバック信号を伝送するために用いられ、ＵＥのＴＤＤ  ＵＬ／ＤＬ構成値が０とされる段階と、ＵＥが複数のダウンリンクサブフレームの中から検出したＰＤＳＣＨ伝送の数量に基づいて、複数のダウンリンクサブフレームにおいてフィードバック信号が形成されたダウンリンクサブフレームの数量を判断する段階とを含む。
【００２２】
本発明では更に、無線通信システムのＵＥに用いられるＡＣＫ／ＮＡＣＫバンドリングを改善するための通信装置を開示する。通信装置は、プログラムを実行するＣＰＵと、ＣＰＵに結合され、プログラムを記憶する記憶装置とを含む。プログラムは、アップリンクサブフレームに割り当てられたアップリンクグラントを受信し、アップリンクサブフレームが複数のダウンリンクサブフレームに対応するフィードバック信号を伝送するために用いられ、ＵＥのＴＤＤ  ＵＬ／ＤＬ構成値が０とされる段階と、ＵＥが複数のダウンリンクサブフレームの中から検出したＰＤＳＣＨ伝送の数量に基づいて、複数のダウンリンクサブフレームにおいてフィードバック信号が形成されたダウンリンクサブフレームの数量を判断する段階とを含む。
【００２３】
本発明では更に、無線通信システムのＵＥに用いられるＡＣＫ／ＮＡＣＫバンドリングを改善する方法を開示する。同方法は、アップリンクサブフレームに割り当てられたアップリンクグラントを受信し、アップリンクサブフレームが複数のダウンリンクサブフレームに対応するフィードバック信号を伝送するために用いられる段階と、アップリンクグラントを運ぶＰＤＣＣＨシグナリングにＤＡＩが含まれるかどうかを判断する段階と、ＤＡＩに基づいて、ＵＥがダウンリンクアサインメントを受け損なったかどうか、及び複数のダウンリンクサブフレームにおいてフィードバック信号が形成されたダウンリンクサブフレームの数量を判断する段階とを含む。
【００２４】
本発明では更に、無線通信システムのＵＥに用いられるＡＣＫ／ＮＡＣＫバンドリングを改善するための通信装置を開示する。通信装置は、プログラムを実行するＣＰＵと、ＣＰＵに結合され、プログラムを記憶する記憶装置とを含む。プログラムは、アップリンクサブフレームに割り当てられたアップリンクグラントを受信し、アップリンクサブフレームが複数のダウンリンクサブフレームに対応するフィードバック信号を伝送するために用いられる段階と、アップリンクグラントを運ぶＰＤＣＣＨシグナリングにＤＡＩが含まれるかどうかを判断する段階と、ＤＡＩに基づいて、ＵＥがダウンリンクアサインメントを受け損なったかどうか、及び複数のダウンリンクサブフレームにおいてフィードバック信号が形成されたダウンリンクサブフレームの数量を判断する段階とを含む。
【図面の簡単な説明】
【００２５】
【図１】無線通信システムを表す説明図である。
【図２】無線通信装置のブロック図である。
【図３】図２に示すプログラムを表す説明図である。
【図４】本発明の実施例による方法のフローチャートである。
【図５】本発明の実施例による方法のフローチャートである。
【図６】本発明の実施例による方法のフローチャートである。
【発明を実施するための形態】
【００２６】
図１を参照する。図１は無線通信システム１０を表す説明図である。無線通信システム１０は望ましくはＬＴＥシステムであって、概してネットワークと複数のＵＥからなる。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００２７】
図２を参照する。図２は無線通信装置１００のブロック図である。無線通信装置１００は図１に示すＵＥを実施する。説明を簡素化するため、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００において、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００２８】
図３を参照する。図３は図２に示すプログラム１１２を表す説明図である。プログラム１１２はアプリケーション層２００と、第三層インターフェイス２０２と、第二層インターフェイス２０６を備え、第一層インターフェイス２１８と接続されている。第三層インターフェイス２０２はＲＲＣ（無線リソース制御）層インターフェイスを含み、リソース制御を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００２９】
ＬＴＥ無線通信システムのＴＤＤモードにはＡＣＫ／ＮＡＣＫバンドリング技術が導入されている。同技術は１つのＡＣＫまたはＮＡＣＫ信号のみで複数のダウンリンクパケットのＨＡＲＱフィードバックを実行し、アップリンク／ダウンリンクの非対称性による問題を解決する。また、ダウンリンクアサインメントの受信欠落によるパケットの紛失を避けるために、ＰＤＣＣＨシグナリングには、受信すべきダウンリンクアサインメントの数量をＵＥに指示し、ＵＥでＡＣＫ／ＮＡＣＫ信号を正確に返送することを可能にする長さ２ビットのＤＡＩフィールドが設けられている。
【００３０】
しかし、ＴＤＤ  ＵＬ／ＤＬ構成値が０の場合、ＤＣＩフォーマットが０のＰＤＣＣＨシグナリング（すなわちアップリンクグラントを運ぶＰＤＣＣＨシグナリング）にはＤＡＩフィールドが存在しない。したがって、ＴＤＤ  ＵＬ／ＤＬ構成値が０の状態でＤＣＩフォーマットが０のＰＤＣＣＨシグナリングを受信すれば、ＵＥはダウンリンクアサインメントを受け損なったかどうかを判断できず、対応するアップリンクサブフレームにおいてＡＣＫまたはＮＡＣＫ信号を送信すべきかどうかも判断できない。
【００３１】
以上に鑑みて、本発明の実施例では、ＴＤＤ  ＵＬ／ＤＬ構成値が０の状態でＡＣＫ／ＮＡＣＫバンドリングの動作を改善するために、前記プログラム１１２にフィードバックバンドリング改善プログラム２２０を設ける。図４を参照する。図４は本発明の実施例による方法４０のフローチャートである。下記方法４０は、無線通信システム１０のＵＥにおいてＡＣＫ／ＮＡＣＫバンドリング動作の改善に用いられ、フィードバックバンドリング改善プログラム２２０としてコンパイルすることができる。方法４０は以下のステップを含む。
【００３２】
ステップ４００：開始。
ステップ４０２：アップリンクサブフレームに割り当てられたアップリンクグラントを受信する。このアップリンクサブフレームは、複数のダウンリンクサブフレームに対応するフィードバック信号を伝送するために用いられる。ＵＥのＴＤＤ  ＵＬ／ＤＬ構成値は０とされる。
ステップ４０４：ダウンリンクアサインメントを運ぶ最近のＰＤＣＣＨシグナリングにより指示されたＤＡＩに基づいて、ＵＥがダウンリンクアサインメントを受け損なったかどうかを判断する。
ステップ４０６：終了。
【００３３】
以上の方法４０によれば、ＵＥはＴＤＤ  ＵＬ／ＤＬ構成値が０の状態でアップリンクサブフレームに割り当てられたアップリンクグラントを受信する。このアップリンクサブフレームは、複数のダウンリンクサブフレームに対応するフィードバック信号を伝送するために用いられる。言い換えれば、アップリンクサブフレームはＡＣＫ／ＮＡＣＫバンドリングの共通サブフレームであり、複数のダウンリンクサブフレームはそれに対応するバンドルサブフレームである。ＴＤＤ  ＵＬ／ＤＬ構成値が０の状態では、アップリンクグラントを運ぶＰＤＣＣＨシグナリングにＤＡＩフィールドが存在しないため、本発明の実施例によるＵＥは、ダウンリンクアサインメントを運ぶ最近のＰＤＣＣＨシグナリングにより指示されたＤＡＩに基づいて、ダウンリンクアサインメントを受け損なったかどうかを判断する。
【００３４】
言い換えれば、ＴＤＤ  ＵＬ／ＤＬ構成値が０の状態では、受信したアップリンクグラントを運ぶＰＤＣＣＨシグナリングにＤＡＩフィールド（すなわち変数Ｖ＿ＵＬ＿ＤＡＩ）が存在しないため、ＵＥはダウンリンクアサインメントを運ぶ最近のＰＤＣＣＨシグナリングにより指示されたＤＡＩ（すなわち変数Ｖ＿ＤＬ＿ＤＡＩ）に基づいて、ダウンリンクアサインメントを受け損なったかどうかを判断する。例えば、変数Ｖ＿ＤＬ＿ＤＡＩと変数Ｕ＿ＤＡＩが一致せず、すなわち
【数４】
2010158000.tif 000006
の場合では、少なくとも１つのダウンリンクアサインメントを受け損なったと判断し、ＵＥは共通サブフレームにおいてＮＡＣＫ信号を生成しなければならない。
【００３５】
同じく、ＵＥは変数Ｖ＿ＵＬ＿ＤＡＩに基づいてバンドルサブフレームに含まれるＰＤＳＣＨ伝送の数量も判断できない。この場合、本発明の実施例では変数Ｕ＿ＤＡＩと変数Ｎ＿ＳＰＳの和に基づいて、ＵＥが共通サブフレームにおいてＡＣＫ信号またはＮＡＣＫ信号を伝送すべきかどうかを判断するしかない。変数Ｕ＿ＤＡＩと変数Ｎ＿ＳＰＳの和が０であれば、バンドルサブフレームにＰＤＳＣＨ伝送がないので、ＵＥはＡＣＫ信号またはＮＡＣＫ信号を送信する必要がない。変数Ｖ＿ＵＬ＿ＤＡＩ、Ｖ＿ＤＬ＿ＤＡＩ、及び変数Ｕ＿ＤＡＩの定義について先行技術の説明を参照すればよく、ここで説明を省略する。
【００３６】
したがって、本発明の実施例ではＵＥがダウンリンクアサインメントを受け損なったかどうかを正確に判断し、共通サブフレームにおいてＡＣＫ信号またはＮＡＣＫ信号を返送することができる。
【００３７】
図５を参照する。図５は本発明の実施例による方法５０のフローチャートである。下記方法５０は、無線通信システム１０のＵＥにおいてＡＣＫ／ＮＡＣＫバンドリング動作の改善に用いられ、フィードバックバンドリング改善プログラム２２０としてコンパイルすることができる。方法５０は以下のステップを含む。
【００３８】
ステップ５００：開始。
ステップ５０２：アップリンクサブフレームに割り当てられたアップリンクグラントを受信する。このアップリンクサブフレームは、複数のダウンリンクサブフレームに対応するフィードバック信号を伝送するために用いられる。ＵＥのＴＤＤ  ＵＬ／ＤＬ構成値は０とされる。
ステップ５０４：ＵＥが複数のダウンリンクサブフレームの中から検出したＰＤＳＣＨ伝送の数量に基づいて、複数のダウンリンクサブフレームにおいてフィードバック信号が形成されたダウンリンクサブフレームの数量を判断する。
ステップ５０６：終了。
【００３９】
以上の方法５０によれば、ＵＥはＴＤＤ  ＵＬ／ＤＬ構成値が０の状態でアップリンクサブフレームに割り当てられたアップリンクグラントを受信する。このアップリンクサブフレームは、複数のダウンリンクサブフレームに対応するフィードバック信号を伝送するために用いられる。言い換えれば、アップリンクサブフレームはＡＣＫ／ＮＡＣＫバンドリングの共通サブフレームであり、複数のダウンリンクサブフレームはそれに対応するバンドルサブフレームである。ＴＤＤ  ＵＬ／ＤＬ構成値が０の状態では、アップリンクグラントを運ぶＰＤＣＣＨシグナリングにＤＡＩフィールドが存在しないため、本発明の実施例では、ＵＥがバンドルサブフレームの中から検出したＰＤＳＣＨ伝送の数量に基づいて、バンドルサブフレームにおいてフィードバック信号が形成されたダウンリンクサブフレームの数量を判断する。
【００４０】
ＵＥがバンドルサブフレームの中から検出したＰＤＳＣＨ伝送の数量は、ダイナミックスケジューリングされたＰＤＳＣＨ伝送（すなわち対応するＰＤＣＣＨシグナリングを有するＰＤＳＣＨ伝送）と、事前定義されたＰＤＳＣＨ伝送（すなわち対応するＰＤＣＣＨシグナリングを有しないＰＤＳＣＨ伝送）とを含み、両者はそれぞれ変数Ｕ＿ＤＡＩと変数Ｎ＿ＳＰＳで示される。
【００４１】
簡単に言えば、ＴＤＤ  ＵＬ／ＤＬ構成値が０の状態では、ＵＥが受信したアップリンクグラントを運ぶＰＤＣＣＨシグナリングにはＤＡＩフィールド（すなわち変数Ｖ＿ＵＬ＿ＤＡＩ）が存在しないため、本発明の実施例では、ＵＥがバンドルサブフレームの中から検出したＰＤＳＣＨ伝送の数量（すなわち変数Ｕ＿ＤＡＩと変数Ｎ＿ＳＰＳ）に基づいて、バンドルサブフレームにおいてフィードバック信号が形成されたダウンリンクサブフレームの数量（すなわち変数Ｎ＿ｂｕｎｄｌｅｄ）を判断する。たとえば、本発明の実施例ではバンドルサブフレームにおいてフィードバック信号が形成されたダウンリンクサブフレームの数量を変数Ｕ＿ＤＡＩと変数Ｎ＿ＳＰＳの和とすることができる。
【００４２】
したがって、本発明の実施例ではバンドルサブフレームにおいてフィードバック信号が形成されたダウンリンクサブフレームの数量を正確に判断し、ＡＣＫ／ＮＡＣＫバンドリングの動作を改善することができる。
【００４３】
図６を参照する。図６は本発明の実施例による方法６０のフローチャートである。下記方法６０は、無線通信システム１０のＵＥにおいてＡＣＫ／ＮＡＣＫバンドリング動作の改善に用いられ、フィードバックバンドリング改善プログラム２２０としてコンパイルすることができる。方法６０は以下のステップを含む。
【００４４】
ステップ６００：開始。
ステップ６０２：アップリンクサブフレームに割り当てられたアップリンクグラントを受信する。このアップリンクサブフレームは、複数のダウンリンクサブフレームに対応するフィードバック信号を伝送するために用いられる。
ステップ６０４：アップリンクグラントを運ぶＰＤＣＣＨシグナリングにＤＡＩが含まれるかどうかを判断する。
ステップ６０６：ＤＡＩに基づいて、ＵＥがダウンリンクアサインメントを受け損なったかどうか、及び複数のダウンリンクサブフレームにおいてフィードバック信号が形成されたダウンリンクサブフレームの数量を判断する。
ステップ６０８：終了。
【００４５】
以上の方法６０によれば、ＵＥはまずアップリンクサブフレームに割り当てられたアップリンクグラントを受信する。このアップリンクサブフレームは、複数のダウンリンクサブフレームに対応するフィードバック信号を伝送するために用いられる。言い換えれば、アップリンクサブフレームはＡＣＫ／ＮＡＣＫバンドリングの共通サブフレームであり、複数のダウンリンクサブフレームはそれに対応するバンドルサブフレームである。次に、本発明の実施例ではアップリンクグラントを運ぶＰＤＣＣＨシグナリングにＤＡＩが含まれるかどうかを判断する。最後に、本発明の実施例ではアップリンクグラントにより指示されたＤＡＩに基づいて、ＵＥがダウンリンクアサインメントを受け損なったかどうか、及びバンドルサブフレームにおいてフィードバック信号が形成されたダウンリンクサブフレームの数量を判断する。
【００４６】
望ましくは、本発明の実施例ではＴＤＤ  ＵＬ／ＤＬ構成値が１〜６とされた場合に、アップリンクグラントにＤＡＩが含まれると判断する。したがって、ＴＤＤ  ＵＬ／ＤＬ構成値が１〜６とされた状態では、本発明の実施例によるＵＥはアップリンクグラントにより指示されたＤＡＩ（すなわち変数Ｖ＿ＵＬ＿ＤＡＩ）に基づいて、ＵＥがダウンリンクアサインメントを受け損なったかどうか、及びバンドルサブフレームにおいてフィードバック信号が形成されたダウンリンクサブフレームの数量を判断することができる。
【００４７】
言い換えれば、本発明の実施例ではＴＤＤ  ＵＬ／ＤＬ構成値が１〜６とされた場合にのみ、変数Ｖ＿ＵＬ＿ＤＡＩの値を利用し、ＵＥがダウンリンクアサインメントを受け損なったかどうか、及びバンドルサブフレームにおいてフィードバック信号が形成されたダウンリンクサブフレームの数量（すなわち変数Ｎ＿ｂｕｎｄｌｅｄ）を判断する。したがって、本発明の実施例ではＴＤＤ  ＵＬ／ＤＬ構成値が０とされた場合に生じる誤判断を防止できる。
【００４８】
まとめて言えば、本発明の実施例は、ＵＥがダウンリンクアサインメントを受け損なったかを正確に判断してＡＣＫまたはＮＡＣＫ信号を返送するのを可能にするために、無線通信システムのＵＥにおいてＡＣＫ／ＮＡＣＫバンドリングの動作を改善する方法を提供する。
【００４９】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００５０】
１０  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  フィードバックバンドリング改善プログラム
【図１】
2010158000.tif 000007
【図２】
2010158000.tif 000008
【図３】
2010158000.tif 000009
【図４】
2010158000.tif 000010
【図５】
2010158000.tif 000011
【図６】
2010158000.tif 000012